(57)【要約】【課題】排気空気中の油分を捕集できると共に、長期間使用しても換気効率が低下しない換気扇の油捕集装置とする。【解決手段】ファン１の吐出側をチャンバーボックス１０の入口１１に接続し、このチャンバーボックス１０の出口１２にダクト３を接続して屋内の空気を屋外に排出する換気扇とする。前記チャンバーボックス１０内に炭酸カルシュウムを主成分とする貝殻類の粉末１３を層状に設け、前記入口１１から流入した空気を多孔プレート１４の孔１４ａを流通し、その空気内の液体を分離して炭酸カルシュウムを主成分とする貝殻類の粉末１３に落下し、油分を粉末１３で吸着した後に出口１２から流出するようにすることで、空気中の油分が炭酸カルシュウムを主成分とする貝殻類の粉末１３に吸着して捕集されると共に、その粉末１３が飽和状態となっても空気の流れを阻害することがなく、長期間使用しても換気効率が低下することがない。【選択図】図１
2006322620.tif 000002
【特許請求の範囲】
【請求項１】
ファン１の回転により空気が流通するチャンバーボックス１０内に炭酸カルシュウムを主成分とする貝殻類の粉末１３と多孔プレート１４を設け、
前記チャンバーボックス１０内に流入した空気が多孔プレート１４の孔を通過することで、その空気内の液体が分離して炭酸カルシュウムを主成分とする貝殻類の粉末１３に落下するようにしたことを特徴とする換気扇の油捕集装置。
【請求項２】
多孔プレート１４の下端部と粉末１３の表面との間に隙間１６を形成し、チャンバーボックス１０内に流入した空気の一部が多孔プレート１４の孔を通過し、残りの空気が前記隙間１６を流れるようにした請求項１記載の換気扇の油捕集装置。
【請求項３】
チャンバーボックス１０に、粉末１３が飽和状態まで油分を吸着した後に油分を排出するドレーン１９を設けた請求項１記載の換気扇の油捕集装置。
【請求項４】
チャンバーボックス１０内に粉末１３を交換可能に設けた請求項１記載の換気扇の油捕集装置。
【請求項５】
ファン１の吐出側にチャンバーボックス１０を設けた請求項１記載の換気扇の油捕集装置。
【発明の詳細な説明】
【技術分野】
【０００１】
本発明は、調理時に発生する煙り、湯気、油分等を捕集して屋外に排出するレンジフード等の換気扇における屋外に排出する排気空気中に含まれる油分を捕集する装置に関する。
【背景技術】
【０００２】
レンジフード等の換気扇はファンによって屋内の空気を吸い込み、屋外に向けて吐出するものであり、そのファンの吐出側に騒音が発生する。
また、前述の換気扇においては、排気空気中に油分が含まれないように油捕集装置を設けている。
例えば、特許文献１に開示された換気扇では吸込風路に複数の邪魔板より成るフィルターを設け、吸い込み空気中の油分を邪魔板に付着して除去し、排気空気中に油分が含まれないようにしている。
また、特許文献２に開示された換気扇ではファンの吸込側に油捕集部を設け、吸い込み空気中の油分を捕集し、排気空気中に油分が含まれないようにしている。
【０００３】
【特許文献１】特公平１−５４６１８号公報
【特許文献２】特開平１０−２８８３７０号公報
【発明の開示】
【発明が解決しようとする課題】
【０００４】
前述した特許文献１に開示された換気扇は、油分が付着した邪魔板の清掃を怠ると目詰まり状態となって空気の流通抵抗が大きくなり、このような状態で換気扇を使用し続けた場合、換気効率が低下すると共に、消費電力の損失及び騒音の発生原因ともなる。
また、特許文献２に開示された換気扇は、油捕集のために電動モータを用いているので設備費が高くなると共に、消費電力も増大して維持費が高くなる。
【０００５】
本発明の目的は、排気空気中の油分を捕集できると共に、長期間使用しても換気効率が低下することがないと共に、消費電力の損失、騒音の発生原因となることもなく、設備費、維持費が安くできるようにした換気扇の油捕集装置を提供することである。
【課題を解決するための手段】
【０００６】
第１の発明は、ファン１の回転により空気が流通するチャンバーボックス１０内に炭酸カルシュウムを主成分とする貝殻類の粉末１３と多孔プレート１４を設け、
前記チャンバーボックス１０内に流入した空気が多孔プレート１４の孔を通過することで、その空気内の液体が分離して炭酸カルシュウムを主成分とする貝殻類の粉末１３に落下するようにしたことを特徴とする換気扇の油捕集装置である。
【０００７】
第２の発明は、第１の発明において、多孔プレート１４の下端部と粉末１３の表面との間に隙間１６を形成し、チャンバーボックス１０内に流入した空気の一部が多孔プレート１４の孔を通過し、残りの空気が前記隙間１６を流れるようにした換気扇の油捕集装置ある。
【０００８】
第３の発明は、第１の発明において、チャンバーボックス１０に、粉末１３が飽和状態まで油分を吸着した後に油分を排出するドレーン１９を設けた換気扇の油捕集装置である。
【０００９】
第４の発明は、第１の発明において、チャンバーボックス１０内に粉末１３を交換可能に設けた油捕集装置である。
【００１０】
第５の発明は、第１の発明において、ファン１の吐出側にチャンバーボックス１０を設けた換気扇の油捕集装置である。
【発明の効果】
【００１１】
請求項１に係る発明によれば、チャンバーボックス１０内に流入した空気は、多孔プレート１４を通過することで、その空気中の液体が分離されると共に、液体の小さな粒子が結合して大きな粒子となって落下し、炭酸カルシュウムを主成分とする貝殻類の粉末１３に触れることで、その液体中の水分は蒸発し、油分が炭酸カルシュウムを主成分とする貝殻類の粉末１３に含まれた炭酸カルシュウムで吸着され、油分を含まない空気が流出する。
したがって、排気空気中の油分を捕集できる。
また、ファン１の回転による空気は炭酸カルシュウムを主成分とする貝殻類の粉末１３に沿って流れるので、その炭酸カルシュウムを主成分とする貝殻類の粉末１３が油分を吸着できなくなっても空気の流れが阻害されることがなく、長期間使用しても換気効率が低下することがないと共に、消費電力の損失、騒音発生の原因となることもない。
しかも、空気中の油分を捕集するためのみに電力を消費することがないし、炭酸カルシュウムを主成分とする貝殻類の粉末１３を利用しているから設備費、維持費が安い。
【００１２】
請求項２に係る発明によれば、粉末１３と多孔プレート１４との間の隙間１６を流れる空気が屈曲した流れとなって過流を作り出し、その空気内に含まれた液体を分離して粉末１３に落下するので、その空気中の油分をも吸着することができる。
【００１３】
請求項３に係る発明によれば、ドレーン１９からの油分が排出されることで、粉末１３の交換時期を知ることができる。
【００１４】
請求項４に係る発明によれば、飽和状態まで油分を吸着した粉末１３を取り出し、その粉末１３を水の中に置くことで油分と水酸化カルシウムに分離するから、油分の処理が簡便である。
しかも、水酸化カルシウムを加熱等することで水分を蒸発することで炭酸カルシウムとなるから、リサイクルできる。
【００１５】
請求項５に係る発明によれば、ファン１の吐出空気はチャンバーボックス１０内に流入することで、流速が急激に遅くなると共に、圧力が低くなり、吐出騒音が低減する。
したがって、ファン１の吐出側の騒音を低減できる。
【発明を実施するための最良の形態】
【００１６】
図１に示すように、ファン１の吐出側に油捕集装置２を設けて換気扇としてある。
この油捕集装置２でファン１の吐出空気中の油分を捕集し、油分を含まない排気空気をダクト３で屋外に排出する。
図１においては、ファン１はフード４内に設けてあり、そのファン１はフード４内の空気を吸い込むようにしてレンジフードとしてある。このフード４の上面４ａに油捕集装置２が取付けてある。
前記ファン１はフード４の外部に設けても良いし、油捕集装置２はダクト３の途中に設けたり、フード４内に設けても良い。
なお、フード４を設けずにファン１で屋内の空気を直接的に吸い込むようにしても良いし、ファン１の吸込側に油捕集装置２を設けても良い。
【００１７】
前記油捕集装置２はチャンバーボックス１０を備え、その入口１１が前記ファン１の吐出口１ａに接続し、出口１２にダクト３が接続してある。
前記チャンバーボックス１０内には炭酸カルシュウムを主成分とする貝殻類の粉末１３と、前記入口１１から流入した空気内の液体を分離して前記炭酸カルシュウムを主成分とする貝殻類の粉末１３に落下する多孔プレート１４と、液体受け部１５が設けてある。この炭酸カルシュウムを主成分とする貝殻類の粉末１３は、前記チャンバーボックス１０の底部寄りに所定の厚さとなるように層状に設けてある。
前記多孔プレート１４は入口１１と対向していると共に、空気流入方向に間隔を置いて複数設けてあり、この複数の多孔プレート１４の下部と前記炭酸カルシュウムを主成分とする貝殻類の粉末１３（以下粉末１３と呼ぶ）の表面との間に隙間１６が形成してある。
前記液体受け部１５は皿状の上面が開口した容器で、その底面１５ａは水平に対して傾斜している。この液体受け部１５内には網１７が設けてあり、その網１７の上に前記粉末１３が設けてあると共に、網１７よりも下部が液体溜め部１８としてある。
この液体溜め部１８はドレーン１９で外部に開口している。このドレーン１９としてはバルブ１９ａを備えたドレーンパイプ１９ｂとしてある。
【００１８】
これにより、チャンバーボックス１０内に流入した液体を含んだ空気（以下空気と呼ぶ）の一部は多孔プレート１４の孔を通り、残りの空気は前述の粉末１３と多孔プレート１４との間の隙間１６を通り、出口１２から流出する。
ここで、空気が多孔プレート１４の孔を通り抜けるとき収縮と膨張が繰り返されると共、に空気の流れが乱れて渦流が生じる。
これによって、空気内の液体が分離されると共に、液体の小さな粒子が結合して大きな粒子となるので、落下して粉末１３上に落ちる。
一方、多孔プレート１４と粉末１３との間の隙間１６を通り抜ける空気は、屈曲した流れとなって過流を作り出し、空気内に含まれる液体を分離すると共に、液体の小さな粒子が結合して大きな粒子となるので、落下して粉末１３上に落ちる。
【００１９】
前述したように、粉末１３上に落下した液体の内、水分は自然蒸発し、油分は、油の中に含まれるカルボキシル基（ＣｏｏＨ）が粉末１３の炭酸カルシュウムに吸着される。
そして空気内から液体を排除させ、軽くなった空気だけが出口１２から流出される。
また、前述のようにして油分を吸着した粉末１３が飽和状態になると、油分は液体溜め部１８に溜まる。
この液体溜め部１８に溜まった油分は、ドレーン１９から流出するので、粉末１３が飽和状態であること、つまり粉末１３の交換を知らせる。
【００２０】
前述のようにドレーン１９から油分が流出したら、旧い粉末１３を取り出し、新しい粉末１３を設ける。
この旧い粉末１３を水の中に入れて置くと水酸化カルシウムと油分に分離し、その油分が浮上する。
その浮上した油分を捕集して処理することができ、その油分の処理が簡便である。
また、水酸化カルシウムを加熱等して水分を蒸発させることで炭酸カルシウムとすることで、リサイクルできる。
【００２１】
次に、油捕集装置２の具体形状を説明する。
図２に示すように、チャンバーボックス１０は箱体２０と蓋板２１で形成されている。
この箱体２０は、上面板２２と下面板２３と背面板２４と一対の側面板２５で表面が開口した箱形状で、上面板２２、下面板２３、側面板２５のフランジ２２ａ，２３ａ，２５ａに蓋板２１をビス２６で固着して着脱自在に取付けてある。
前記多孔プレート１４は多数の孔１４ａを有する板状体で、その孔１４ａは丸穴に限ることはなく、角孔やスリット状の孔でも良い。
前記多孔プレート１４は上取付ブラケット２７、下取付ブラケット２８で支持され、その上取付ブラケット２７が上面板２２に固着して取付けられると共に、下取付ブラケット２７が背面板２４に固着して取付けられる。
前記上・下取付ブラケット２７，２８の取付け位置を可変できるようにして隣接した多孔プレート１４の間隔（ピッチ）を調整できるようにしてある。
【００２２】
前記液体受け部１５は上面が開口した皿状の容器形状で、網１７の上に粉末１３を設け、下部を液体溜め部１８としてあるが、これに限ることはない。
例えば、底面が多孔板又は網である容器内に粉末１３を入れ、その容器をチャンバーボックス１０内に取付け、そのチャンバーボックス１０の底面寄りを液体溜め部とする。
また、チャンバーボックス１０の底面に粉末１３を直接設け、その底面にドレーン１９を設けて底面寄り部分を粉末収納兼液体溜め部とする。
【００２３】
次に、ファン１の吸込側に油捕集装置を設けた実施の形態を説明する。
図３に示すように、フード４内にチャンバーボックス１０を取付け、そのフード４の上面４ａにファン１を取付ける。
前記ファン１の吸込部を前記チャンバーボックス１０の出口１２に連通し、吐出部にダクト３を連通する。
フード４の下面４ｂに流入用開口部４ｃを形成し、その流入用開口部４ｃをチャンバーボックス１０の入口１１に開口連通して空気が矢印で示すように入口１１からチャンバーボックス１０内に流入するようにする。
この実施の形態では、チャンバーボックス１０の底面寄りに粉末１３が直接設けてあり、その粉末１３が飽和状態となると底面に油分が溜まり、ドレーン１９から排出されるようにしてある。
【図面の簡単な説明】
【００２４】
【図１】本発明の第１の実施の形態を示す一部を断面した正面図である。
【図２】チャンバーボックスの分解斜視図である。
【図３】本発明の第２の実施の形態を示す一部を断面した側面図である。
【符号の説明】
【００２５】
１…ファン、２…油捕集装置、３…ダクト、１０…チャンバーボックス、１１…入口、１２…出口、１３…炭酸カルシュウムを主成分とする貝殻類の粉末、１４…多孔プレート。
【図１】
2006322620.tif 000003
【図２】
2006322620.tif 000004
【図３】
2006322620.tif 000005